(57)【特許請求の範囲】
【請求項１】
ズボン本体の腰部に着脱可能に取り付けられ、前記ズボン本体への高さ方向の取付位置を調節できる取付位置調節手段が長手方向略中央に設けられている骨盤帯を備える骨盤帯付きズボンであって、
前記ズボンは、
着用者の腰部側においてベルト部の長手方向略中央に設けられ、前記取付位置調節手段を固定する固定具と、
着用者の腰部に対応する部位に設けられ、上端縁が前記ベルト部の下端に接合され、下端縁が後身頃に接合される伸縮性生地と、
前記伸縮性生地に重なる位置に設けられ、横方向に伸びた折り目で折り返された複数の襞であるプリーツを有する覆い布と、
を有すると共に、着用者の腹部に対応する部位に、前記骨盤帯を着脱自在に取り付ける取付手段を設け、
前記骨盤帯は、
前記ズボンと対向する第１面の一端側に設けられ、前記ズボンに設けられた前記取付手段と連結することにより前記骨盤帯を前記ズボンに対して固定する固定手段と、
前記固定手段の裏面に設けられた第１連結手段と、
前記第１面の他端側に設けられ、前記第１連結手段と連結することにより前記着用者の腹圧を上昇させる第２連結手段と、を有し、
前記伸縮性生地及び覆い布は、着用者の腰部側においてベルト部の長手方向中央を中心として、仙骨部の水平方向の長さの１．５〜３倍の幅を有することを特徴とする骨盤帯付きズボン。
【請求項２】
前記取付位置調節手段は、雄留め具と雌留め具とからなる留め部材であって、前記雄留め具と雌留め具の内の一方の留め具が、骨盤帯本体の長手方向略中央であって、前記骨盤帯本体の長手方向と略直交する方向に少なくとも２個設けられ、前記ズボンに設けられた前記固定具を構成する前記雄留め具と雌留め具の内の他方の留め具に連結する、前記一方の留め具を変えることにより前記骨盤帯本体の取付位置を調節することができることを特徴とする請求項１記載の骨盤帯付きズボン。
【請求項３】
前記取付位置調節手段は、雄留め具と雌留め具とからなる留め部材であって、前記雄留め具と雌留め具の内の一方の留め具が骨盤帯本体の長手方向略中央に少なくとも１個設けられ、前記ズボン本体の腰部の位置であって、上下方向に少なくとも２個設けられた、固定具を構成する前記雄留め具と雌留め具の内の他方の留め具に連結する、前記一方の留め具を変えることにより前記骨盤帯本体の取付位置を調節することができることを特徴とする請求項１記載の骨盤帯付きズボン。
【請求項４】
骨盤帯本体は、
伸縮性を有する主ベルトと、
前記主ベルトに縫製されて取り付けられた、伸縮性を有する略Ｖ字状の左補助ベルト及び右補助ベルトとを有し、
前記左補助ベルトは、頂部が前記主ベルトの左側で縫製され、両端が前記主ベルトの中央側で連結布を介して縫製され、
前記右補助ベルトは、頂部が前記主ベルトの右側で縫製され、両端が前記主ベルトに中央側で前記連結布を介して縫製され、
前記連結布には、前記取付位置調節手段が設けられていることを特徴とする請求項１から３のいずれか一項に記載の骨盤帯付きズボン。
【請求項５】
前記骨盤帯の前記第１連結手段の長手方向長さが、前記第２連結手段の長手方向長さよりも長いことを特徴とする請求項１から４のいずれか一項に記載の骨盤帯付きズボン。
【発明の詳細な説明】
【技術分野】
【０００１】
本発明は、ズボンに装着できる腰痛保護帯及びこの腰痛保護帯を装着した腰痛保護帯付きズボンに関する。
【背景技術】
【０００２】
従来腰痛は、物の上げ下ろしを行う軽作業、店頭で立って行う販売、椅子に座って行うデスクワーク等の種々の原因が存在し、発症すると業務に支障をきたすことになる。このような腰痛の予防及び腰痛の軽減のために、腰部に装着する腰痛保護帯が存在する（例えば、特許文献１、２）。当該腰痛保護帯は、腰部に装着してから、その上にズボンを履くことになる。また、上記したような腰痛保護帯を最初からズボン本体のベルト部に固定して取り付けた腰痛保護帯付きズボンも存在する（例えば、特許文献３、４）。
【先行技術文献】
【特許文献】
【０００３】
【特許文献１】特許第３５９７２２８号公報
【特許文献２】実用新案登録第３０８６２４２号公報
【特許文献３】特開２００８−８１８６４号公報
【特許文献４】特開平１０−４６４０９号公報
【発明の概要】
【発明が解決しようとする課題】
【０００４】
特許文献３、４の技術にあっては、腰痛帯とズボンとの相対位置を固定することができる。しかしながら、ズボンそのものが立位姿勢を基準に作られているため、立位時と座位時では、人体に対するズボンのベルト位置がずれてしまう。そのため、着用者が立位姿勢から座位姿勢等に姿勢を変更すると、ベルトに取り付けられた腰痛帯の位置がずれてしまい、腰痛帯を正しい装着位置で維持できないという問題点がある。換言すれば、特許文献３、４の技術において腰痛帯を正しい装着位置で維持するには、ズボン本体の穿く位置を本来予定されている位置から変えなければならず、着用者にとって快適性と本来の機能が損なわれるという問題点がある。
【０００５】
本願発明は、上記問題点に鑑み案出したものであって、ズボン本体への装着位置を調節して、確実にズボン着用者の望む位置で腰を保護することができる骨盤帯とその骨盤帯を備えた骨盤帯付きズボンを提供することを目的とする。
【課題を解決するための手段】
【０００６】
本願請求項１に係る骨盤帯付きズボンは、上記目的を達成するため、ズボン本体の腰部に着脱可能に取り付けられ、ズボン本体への高さ方向の取付位置を調節できる取付位置調節手段が長手方向略中央に設けられている骨盤帯を備える骨盤帯付きズボンであって、
ズボンは、着用者の腰部側においてベルト部の長手方向略中央に設けられ、取付位置調節手段を固定する固定具と、着用者の腰部に対応する部位に設けられ、上端縁がベルト部の下端に接合され、下端縁が後身頃に接合される伸縮性生地と、伸縮性生地に重なる位置に設けられ、横方向に伸びた折り目で折り返された複数の襞であるプリーツを有する覆い布と、を有すると共に、着用者の腹部に対応する部位に、骨盤帯を着脱自在に取り付ける取付手段を設け、
骨盤帯は、ズボンと対向する第１面の一端側に設けられ、ズボンに設けられた取付手段と連結することにより骨盤帯をズボンに対して固定する固定手段と、固定手段の裏面に設けられた第１連結手段と、第１面の他端側に設けられ、第１連結手段と連結することにより着用者の腹圧を上昇させる第２連結手段と、を有し、
伸縮性生地及び覆い布は、着用者の腰部側においてベルト部の長手方向中央を中心として、仙骨部の水平方向の長さの約１．５〜３倍の幅を有することを特徴とする。  
【０００７】
本願請求項２に係る骨盤帯付きズボンは、上記目的を達成するため、取付位置調節手段は、雄留め具と雌留め具とからなる留め部材であって、雄留め具と雌留め具の内の一方の留め具が、骨盤帯本体の略中央であって、骨盤帯本体の長手方向と略直交する方向に少なくとも２個設けられ、固定具を構成する雄留め具と雌留め具の内の他方の留め具に連結する、一方の留め具を変えることにより骨盤帯本体の取付位置を調節することができることを特徴とする。  
【０００８】
本願請求項３に係る骨盤帯付きズボンは、上記目的を達成するため、取付位置調節手段は、雄留め具と雌留め具とからなる留め部材であって、雄留め具と雌留め具の内の一方の留め具が骨盤帯本体の長手方向略中央に少なくとも１個設けられ、ズボン本体の腰部の位置であって、上下方向に少なくとも２個設けられた、固定具を構成する雄留め具と雌留め具の内の他方の留め具に連結する一方の留め具を変えることにより骨盤帯本体の取付位置を調節することができることを特徴とする。  
【０００９】
本願請求項４に係る骨盤帯付きズボンは、上記目的を達成するため、骨盤帯本体は、伸縮性を有する主ベルトと、主ベルトに縫製されて取り付けられた、伸縮性を有する略Ｖ字状の左補助ベルト及び右補助ベルトとを有し、左補助ベルトは、頂部が主ベルトの左側で縫製され、両端が主ベルトの中央側で連結布を介して縫製され、右補助ベルトは、頂部が主ベルトの右側で縫製され、両端が主ベルトに中央側で連結布を介して縫製され、連結布には、取付位置調節手段が設けられていることを特徴とする。  
本願請求項５に係る骨盤帯付きズボンは、骨盤帯の第１連結手段の長手方向長さが、第２連結手段の長手方向長さよりも長いことを特徴とする。
【００１０】
本願発明に係る骨盤帯は、ズボン本体の腰部に着脱可能に取り付けられる骨盤帯であって、骨盤帯本体の長手方向略中央には、ズボン本体への高さ方向の取付位置を調節できる取付位置調節手段が設けられている。
【発明の効果】
【００１１】
本願発明に係る骨盤帯は、取付位置調節手段により、ズボン本体に着脱可能に取り付けることができ、さらに腰痛の位置に合わせて取付位置を調節できるので、個人によって異なる腰痛の位置に対応させることができ、確実に着用者の望む位置で腰を保護することができるという効果がある。  
【００１２】
本願発明に係る骨盤帯は、取付位置調節手段が、雄留め具と雌留め具とからなる留め部材である。雄留め具と雌留め具の内の一方の留め具が、骨盤帯本体の長手方向略中央であって、骨盤帯本体の長手方向と略直交する方向に少なくとも２個設けられている。本願発明に係る骨盤帯は、ズボン本体の腰部の位置に設けられた、雄留め具と雌留め具の内の他方の留め具に連結する一方の留め具を変えることにより骨盤帯本体の取付位置を調節することができる。  
【００１３】
本願発明に係る骨盤帯は、取付位置調節手段が、雄留め具と雌留め具とからなる留め部材である。雄留め具と雌留め具の内の一方の留め具が骨盤帯本体の長手方向略中央に少なくとも１個設けられている。本願発明に係る骨盤帯は、ズボン本体の腰部の位置であって、上下方向に少なくとも２個設けられた、雄留め具と雌留め具の内の他方の留め具に連結する一方の留め具を変えることにより骨盤帯本体の取付位置を調節することができる。
【００１４】
本願発明に係る骨盤帯は、取付位置調節手段が、雄留め具と雌留め具とからなる留め部材なので、ズボン本体に簡単に着脱でき、ズボン本体への取付位置の調節が容易であるという効果がある。  
【００１５】
本願発明に係る骨盤帯は、骨盤帯が、伸縮性を有する主ベルトと、主ベルトに縫製されて取り付けられた、伸縮性を有する略Ｖ字状の左補助ベルト及び右補助ベルトとを有する。前記左補助ベルトは、頂部が主ベルトの左側で縫製され、両端が主ベルトの中央側で連結布を介して縫製されている。前記右補助ベルトは、頂部が主ベルトの右側で縫製され、両端が主ベルトに中央側で前記連結布を介して縫製されている。前記連結布には、前記取付位置調節手段が設けられている。  
【００１６】
本願発明に係る骨盤帯は、連結布付近が腰部（骨盤）に当接して腰部を保護するが、連結布に主ベルトを中心とした上下の位置で補助ベルトの両端が縫製され、主ベルトと２つの補助ベルトの３つが展開された形で幅広くなっており、腰部（骨盤）を主ベルトのみで局部的に保護するのではなく、主ベルトと二つの補助ベルトで腰部（骨盤）を全体的にサポートするので、腰痛を和らげる効果と腰の保護効果を高め、着用者に一層の安心感を与えることができるという効果がある。また、本願発明に係る骨盤帯は、取付位置調節手段によって腰痛の位置に合わせて取付位置を調節でき、個人によって異なる腰痛の位置に幅広く対応させることができるので、着用者の望む位置を含む周辺で腰を保護することができるという効果がある。
【００１７】
本願発明に係る骨盤帯付きズボンは、上記効果を有する前記骨盤帯と、当該骨盤帯を着脱可能に取り付けるズボン本体とからなるので、ズボン本体を骨盤帯の形状に合わせてデザインすることができ、外観を整え、印象深い外観にすることができるという効果がある。
【００１８】
本願発明に係る腰痛保護帯付きズボンは、上記効果を有する前記腰痛保護帯と、当該腰痛保護帯を着脱可能に取り付けるズボン本体とからなるので、ズボン本体を腰痛保護帯の形状に合わせてデザインすることができ、外観を整え、印象深い外観にすることができるという効果がある。
【図面の簡単な説明】
【００１９】
腰痛保護帯（骨盤帯）３１は、図３，４に示すように、ズボン本体１ａの腰部に着脱可能に取り付けられる。当該腰痛保護帯３１は、図１に示すように、保護帯本体（骨盤帯本体）３２の略中央に、ズボン本体１ａへの高さ方向の取付位置を調節できる取付位置調節手段７１が設けられている。腰痛保護帯３１は、取付位置調節手段７１により、ズボン本体１ａに着脱可能に取り付けることができ、さらに腰痛の位置に合わせて取付位置を調節できるので、個人によって異なる腰痛の位置に対応させることができ、確実に着用者の望む位置で腰を保護することができる。
【発明を実施するための形態】
【００２０】
腰痛保護帯３１の取付位置調節手段７１は、雄留め具７３と雌留め具２３とからなる留め部材であっても良い。係る場合、雄留め具７３と雌留め具２３の内の一方の留め具７３が、保護帯本体３２の略中央であって、保護帯本体３２の長手方向と略直交する方向に少なくとも２個設けられている。腰痛保護帯３１は、図８に示すように、ズボン本体１ａの腰部の位置に設けられた、雄留め具７３と雌留め具２３の内の他方の留め具２３（固定具）に連結する一方の留め具７３を変えることにより保護帯本体３２の取付位置を調節することができる。  
【００２１】
腰痛保護帯３１の取付位置調節手段７１は、雄留め具７３と雌留め具２３とからなる留め部材であっても良い。係る場合、雄留め具７３と雌留め具２３の内の一方の留め具７３が、保護帯本体３２の略中央であって、保護帯本体３２の長手方向と略直交する方向に少なくとも２個設けられている。腰痛保護帯３１は、図８に示すように、ズボン本体１ａの腰部の位置に設けられた、雄留め具７３と雌留め具２３の内の他方の留め具２３に連結する一方の留め具７３を変えることにより保護帯本体３２の取付位置を調節することができる。  
【００２２】
前記雄留め具７３と雌留め具２３の内の一方の留め具７３が保護帯本体３２の略中央に少なくとも１個設けられている場合であっても良い。腰痛保護帯３１は、図８に示すように、ズボン本体１ａの腰部の位置であって、上下方向に少なくとも２個設けられた、雄留め具７３と雌留め具２３の内の他方の留め具２３に連結する一方の留め具７３を変えることにより保護帯本体３２の取付位置を調節することができる。腰痛保護帯３１は、取付位置調節手段７１が、雄留め具７３と雌留め具２３とからなる留め部材なので、ズボン本体１ａに簡単に着脱でき、ズボン本体１ａへの取付位置の調節が容易である。  
【００２３】
腰痛保護帯３１は、図１，２に示すように、保護帯本体３２が、伸縮性を有する主ベルト３３と、主ベルト３３に縫製されて取り付けられた、伸縮性を有する略Ｖ字状の左補助ベルト５１及び右補助ベルト６１とを有する。前記左補助ベルト５１は、頂部５２が主ベルト３３の左側で縫製され、両端５３，５５が主ベルト３３の中央側で連結布７０を介して縫製されている。前記右補助ベルト６１は、頂部６２が主ベルト３３の右側で縫製され、両端６３，６５が主ベルト３３に中央側で前記連結布７０を介して縫製されている。前記連結布７０には、前記取付位置調節手段７１が設けられている。  
【００２４】
なお、腰痛保護帯３１は、保護帯本体３２が、伸縮性を有する主ベルト３３と、主ベルト３３の両端側に縫製されて取り付けられた非伸縮性の左連結帯４１及び右連結帯４５と、主ベルト３３に縫製されて取り付けられた、伸縮性を有する略Ｖ字状の左補助ベルト５１及び右補助ベルト６１とからなる構成にすることができる。左補助ベルト５１及び右補助ベルト６１は、両端５３，５５，６３，６５が主ベルト３３に連結布７０を介して縫製されている。左補助ベルト５１は頂部５２が主ベルト３３の連結布７０左側で縫製され、右補助ベルト６１は頂部６２が主ベルト３３の連結布７０右側で縫製されている。前記連結布７０には前記取付位置調節手段７１が設けられている。  
【００２５】
腰痛保護帯３１は、連結布７０付近が腰部に当接して腰部を保護するが、連結布７０に主ベルト３３を中心とした上下の位置で補助ベルト５１，６１の両端５３，５５，６３，６５が縫製され、主ベルト３３と２つの補助ベルト５１，６１の３つが展開された形で幅広くなっており、腰部を主ベルト３３のみで局部的に保護するのではなく、主ベルト３３と二つの補助ベルト５１，６１で腰部を全体的にサポートするので、腰痛を和らげる効果と腰の保護効果を高め、着用者に一層の安心感を与えることができる。また、腰痛保護帯３１は、取付位置調節手段７１によって腰痛の位置に合わせて取付位置を調節でき、着用者個人の体型に応じて腰痛保護帯を適正な位置で装着することができる。
【００２６】
腰痛保護帯付きズボン１は、前記腰痛保護帯３１と、当該腰痛保護帯３１を着脱可能に取り付けるズボン本体１ａとからなるので、ズボン本体１ａを腰痛保護帯３１の形状に合わせてデザインすることができ、外観を整え、印象深い外観にすることができる。  
【００２７】
さらに、腰痛保護帯付きズボンについて、詳細に説明する。図６乃至９に示すように、腰痛保護帯付きズボン１のズボン本体１ａは、左右一対の前身頃２と、左右一対の後身頃３と、内股側の襠部５とを縫い合わせたものである。襠部５は、右足部分６の裾から左足部分７の裾まで連続して設けられている。図７の右側は前側Ｆ、左側は後側Ｒである。襠部５は、前身頃２の股内側側縁２ａと後身頃３の股内側側縁３ａの間で縫製されている（図１１参照）。  
【００２８】
図１１に示すように、襠部５は、裁断された３パーツ５Ａ，５Ｂ，５Ｃからなり、これらを縫い合わせて一体に製作されている。ズボン本体１ａは、前記襠部５に、裁断された前身頃２，２と後身頃３，３とを縫い合わせることで製作されている。即ち、ズボン本体１ａは、左右それぞれの襠部５の前側側縁５ａと前身頃２の股内側側縁２ａとを縫製し、襠部５の後側側縁５ｂと後身頃３の股内側側縁３ａとを縫製し、左右の前身頃２の股外側側縁２ｂと後身頃３の股外側側縁３ｂと縫製し、更に、左右の前身頃２の胴部側端縁２ｃ、２ｃ同士をチャック部材（図示せず）を介して縫い合わせ、左右の後身頃３の胴部側端縁３ｃ、３ｃ同士を縫製して胴部を拵えることにより作製されている。  
【００２９】
また、ズボン本体１ａは、図１０に示すように、帯状のベルト布１０を半分に折り返し、ベルト布１０の折り返した端縁側１０ａ，１０ａで前記前身頃２の上端縁２ｄと後身頃３の上端縁３ｄを挟み込み、ベルト布１０の折り返した端縁側１０ａ，１０ａと前記前身頃２及び後身頃３の上端縁２ｄ，３ｄを縫製して、環状のベルト部１１が作製されている。前身頃２、後身頃３、襠部５及びベルト布１０は、布帛等の伸縮性をほとんど備えていない生地で形成されている。この前身頃２、後身頃３、襠部５及びベルト布１０によって、ズボン本体１ａを構成している。なお、ズボン本体１ａは、襠部５を使用せず、前身頃２、後身頃３及びベルト布１０からなる構成でも良い。  
【００３０】
図８，９に示すように、ズボン本体１ａの後身頃３，３の上部、即ち、ズボン本体１ａの着用者の腰部に対応する部位（腰部から臀部の上側に対応する部位；仙骨部とこの仙骨部の水平方向左右両側の部位）、即ちズボン本体１ａの後身頃３，３のベルト部１１の下に、背中を中心として仙骨部の幅の１．５倍〜３倍程度の横方向の長さ（ほぼ３０ｃｍ）、及び、仙骨部の上下方向の長さの１．０倍〜１．５倍程度の上下方向の長さで切り欠かれてスペース１２が形成されており、当該スペース１２に、伸縮性生地１５と覆い布１６が設けられている。図９に示すように、伸縮性生地１５は、矩形状に形成されており、この上端縁１５ａが、環状のベルト部１１の下部、即ち、ベルト布１０の折り返した端縁側１０ａ，１０ａに挟み込まれて縫製されている（図１０参照）。伸縮性生地１５は、この下端縁１５ｂ及び左右両端縁１５ｃ、１５ｄが後身頃３，３に縫製されている。
【００３１】
前記伸縮性生地１５は、ある程度の伸縮性と、弾力性と強度を備えた生地、例えばパワーネット生地等で構成されている。一般的に、パワーネット生地とは、ストレッチ性を備えた細かいネット状の編物である。ナイロン等の繊維とポリウレタンの弾性繊維とをお互いに交編して生成されており、伸びたときのキックバック性に優れている。しかし、パワーネット生地に限定されるものでないことは、勿論である。  
【００３２】
覆い布１６は、幅寸法（横方向の寸法）が伸縮性生地１５とほぼ等しく、上下方向の寸法が伸縮性生地１５の上下方向の寸法よりも大きい矩形状に形成されている。覆い布１６は、図１０に示すように、横方向（幅方向）に伸びた複数の折り目１７のところで山折り及び谷折りで１８０°折り返されて襞状もしくはジャバラ状に形成されている（プリーツになっている）。なお、襞状になっている覆い布１６の上下方向の寸法は、伸縮性生地１５の上下方向の寸法とほぼ等しくなっている。覆い布１６は、後身頃３，３と同様に、布帛等の伸縮性をほとんど備えていない生地で形成されている。  
【００３３】
覆い布１６は、ズボン本体１ａの着用者の腰部に対応する部位で、伸縮性生地１５に重ねられて設けられている。覆い布１６は、伸縮性生地１５と共に、この上端縁１６ａが、環状のベルト部１１の下部、即ち、ベルト布１０の折り返した端縁側１０ａ，１０ａに挟み込まれて縫製されている。覆い布１６は、伸縮性生地１５と共に、この下端縁１６ｂ及び左右両端縁１６ｃ、１６ｄが後身頃３，３に縫製されている。  
【００３４】
図１０に示すように、覆い布１６は、各折り目１７のうちで上から偶数本目の谷折り側の折り目１７Ｂ，１７Ｄのところもしくは近傍で、横方向の全長にわたって伸びた縫い目１８で伸縮性生地１５に一体的に縫合されている。また、覆い布１６の第１の折り目１７Ａの近傍と第３の折り目１７Ｃの近傍とに、覆い布１６の幅の全長にわたって延びている縫い目１９が設けられており、覆い布１６がお互いに重なっている。これにより、折り目１７Ａ，１７Ｃの形状が維持されるようになっている。覆い布１６は、プリーツ状に形成されているので、色落ちが少なく、縫い目１８が隠れて糸切れが生じ難い。  
【００３５】
上述した伸縮性生地１５と覆い布１６とで、上下方向で伸縮する腰部伸縮部２０を構成する。伸縮性生地１５は、覆い布１６の内側（ズボン本体１ａの着用者の腰側）に位置するようにして設けられ、覆い布１６と重なっているので、ズボン本体１ａの外側から見えないようになっている。  
【００３６】
伸縮性生地１５と覆い布１６は、伸縮性生地１５と覆い布１６との上端縁１５ａ，１６ａと伸縮性生地１５と覆い布１６との下端縁１５ｂ、１６ｂが上下方向に引っ張られると、伸縮性生地１５が弾性変形し、覆い布１６の折り返された襞が拡がって、上下方向に伸びる。なお、覆い布１６は、折り返された襞が拡がって折り目１７が消滅すると、上下方向に伸びなくなるので、覆い布１６と一体となっている伸縮性生地１５もそれ以上は伸びない。  
【００３７】
ズボン本体１ａは、図６に示すように、環状のベルト部１１の長手方向（着用者の胴回りの方向）の一部、例えば、ズボン本体１ａの着用者の腰の左右の側部に対応する部位が弾性を備えて伸縮自在に構成されている。この伸縮自在に構成されているベルト部１１の部位には、筒状のベルト布１０の内側にゴム紐等の弾性体１３が縫製等により設けられている（図１０参照）。  
【００３８】
ベルト布１０の後部中央の位置（ズボン着用者の腰骨の部位）には、一対の雌ボタン２３ａ，２３ｂを有するテープスナップ２４が縫製されて取り付けられている。一対の雌ボタン２３ａ，２３ｂは、上下方向（ベルト布１０の長手方向と略直角の方向）に所定間隔あけて配置されている。また、ベルト布１０の左腹部に相当する位置の部位には、左腹部面ファスナー２５（取付手段）が縫製により固定して取り付けられている。さらに、ベルト布１０の右腹部に位置する部位には、右腹部面ファスナー２６（取付手段）が縫製により固定して取り付けられている。  
【００３９】
次に、腰痛保護帯３１について説明する。図１，２に示すように、腰痛保護帯３１の保護帯本体３２は、伸縮性を有する主ベルト３３を有する。主ベルト３３は、幅が約５．５ｃｍ程度で長さが約６０ｃｍ程度の２本のゴム帯３３ａ，３３ｂが重ねられて形成されている。主ベルト３３の左端３４側には、左連結帯４１が縫製されて取り付けられている。左連結帯４１は、非伸縮性の生地が折り返されて、幅が約５．５ｃｍ程度で長さが約２７ｃｍ程度に形成され、主ベルト３３の左端３４側を挟み込むようにして、縫製されている。左連結帯４１の内側（着用者側）には、左連結面ファスナー４２（第２連結手段）が全面に縫製されて設けられている。  
【００４０】
主ベルト３３の右端３５側には、右連結帯４５が縫製されて取り付けられている。右連結帯４５は、非伸縮性の生地が折り返されて、幅が約５．５ｃｍ程度で長さが約１５ｃｍ程度に形成され、主ベルト３３の右端３５側を挟み込むようにして、縫製されている。右連結帯４５の内側（着用者側）には、右接続面ファスナー４６（固定手段）が縫製されて設けられている。右連結帯４５の外側（反着用者側）の全面には、右連結面ファスナー４７（第１連結手段）が縫製されて設けられている。
【００４１】
主ベルト３３の左端３５側には、左連結帯４５が縫製されて取り付けられている。左連結帯４５は、非伸縮性の生地が折り返されて、幅が約５．５ｃｍ程度で長さが約１５ｃｍ程度に形成され、主ベルト３３の左端３５側を挟み込むようにして、縫製されている。左連結帯４５の内側（着用者側）には、左接続面ファスナー４６が縫製されて設けられている。左連結帯４５の外側（反着用者側）の全面には、左連結面ファスナー４７が縫製されて設けられている。  
【００４２】
腰痛保護帯３１は、右連結帯４１、主ベルト３３及び左連結帯４５によって主帯４８が構成され、右連結帯４１の右端から左連結帯４５の左端までの長さが約１ｍ程度となっている。この主帯４８の略中心は、主ベルト３３の左連結帯４５側に位置している。主帯４８のこの中心を挟んで両側に略Ｖ字状の補助ベルト５１，６１が縫製されて取り付けられている。この補助ベルト５１，６１は、主ベルト３３と同様に、幅が約５．５ｃｍ程度の伸縮性を有する１本のゴム帯で形成されている。  
【００４３】
主帯４８の中心の右側に位置する右補助ベルト５１は、略Ｖ字状に折り畳まれて、頂端縁５２が主ベルト３３の右端３４側に縫製されている。頂端縁５２は、主ベルト３３と略同一幅を有し、主ベルト３３の上端３３ｃ及び下端３３ｄからはみ出ない。右補助ベルト５１は、両端縁５３，５５が主帯４８の略中心まで伸び、略Ｖ字状に折り畳まれているので、両端縁５３，５５が主ベルト３３の上端３３ｃ及び下端３３ｄから突出する。  
【００４４】
主帯４８の中心の左側に位置する左補助ベルト６１は、略Ｖ字状に折り畳まれて、頂端
縁６２が主ベルト３３の左端３５側に縫製されている。頂端縁６２は、主ベルト３３と略
同一幅を有し、主ベルト３３の上端３３ｃ及び下端３３ｄからはみ出ない。左補助ベルト
６１は、両端縁６３，６５が主帯４８の略中心まで伸び、略Ｖ字状に折り畳まれているの
で、両端縁６３，６５が主ベルト３３の上端３３ｃ及び下端３３ｄから突出する。  
【００４５】
右補助ベルト５１の両端縁５３，５５と左補助ベルト６１の両端縁６３，６５と主ベルト３３を、幅約２．５ｃｍの非伸縮性の連結布７０で包み込み、この連結布７０と共に縫製して一体的に固定する。この連結布７０には、腰痛保護帯３１の取付位置調節手段７１が設けられている。この取付位置調節手段７１は、３つの雄ボタン７３ａ，７３ｂ，７３ｃであって、連結布７０の位置に、３つの雄ボタン７３ａ，７３ｂ，７３ｃを有するテープスナップ７２が縫製されて取り付けられている。  
【００４６】
３つの雄ボタン７３ａ，７３ｂ，７３ｃは、上下方向（保護帯本体３２の長手方向と略直角の方向）に所定等間隔あけて配置されている。即ち、隣接する雄ボタン７３ａ，７３ｂと７３ｂ，７３ｃの間隔は、等間隔であり、前記ベルト布１０の後部中央の位置（ズボン着用者の腰骨の部位）に設けられた一対の雌ボタン２３ａ，２３ｂの間隔と略同じ距離で配置されている。このように、腰痛保護帯３１は、取付位置調節手段７１により、ベルト布１０の後部中央の位置（ズボン着用者の腰骨の部位）に着脱可能に取り付けられる。
【００４７】
腰痛保護帯３１は、図３に示すように、連結布７０に取り付けられたテープスナップ７２の上位の雄ボタン７３ａと中位の雄ボタン７３ｂを、ベルト布１０に取り付けられたテープスナップ２４の一対の雌ボタン２３ａ，２３ｂに着脱可能に連結して、ズボン本体１ａのベルト布１０の下側に取り付けられる。また、腰痛保護帯３１は、図４に示すように、連結布７０に取り付けられたテープスナップ７２の中位の雄ボタン７３ｂと下位の雄ボタン７３ｃを、ベルト布１０に取り付けられたテープスナップ２４の一対の雌ボタン２３ａ，２３ｂに着脱可能に連結して、ズボン本体１ａのベルト布１０の上側に取り付けられる。  
【００４８】
腰痛保護帯３１は、図３，４に示すように、ズボン本体１ａに取り付けられた状態の時に、図５に示すように、右連結帯４１が左連結帯４５に重なる長さで形成されている。腰痛保護帯３１は、ズボン本体１ａに取り付けられた状態の時に、主ベルト３３、左右補助ベルト５１，６１を弾性に抗して伸ばして、右連結帯４１を左連結帯４５に重ねると、左連結面ファスナー４７に右連結面ファスナー４２が連結するので、腹部全周を圧迫するようにして巻き付けることができる。左連結面ファスナー４７は、右連結面ファスナー４２の重ねる長さを調節して、主ベルト３３、左右補助ベルト５１，６１の弾性強度（引っ張り強さ）を調節できるように、幅方向に長く形成されている。  
【００４９】
なお、左連結帯４５の内側面には、右腹部面ファスナー２５及び左腹部面ファスナー２６に着脱可能に連結される左接続面ファスナー４６が縫製して取り付けられている。左接続面ファスナー４６は、主ベルト３３、左右補助ベルト５１，６１を弾性に抗して伸ばして、右腹部面ファスナー２５及び／又は左腹部面ファスナー２６に着脱可能に連結させるものである。
【００５０】
腰痛保護帯付きズボン１は、上記構成を有し、腰痛保護帯３１をズボン本体１ａに取り付ける。腰痛保護帯３１は、ズボン本体１ａの着用者の腰痛部位に合わせて、取付位置を調節することができる。即ち、腰痛保護帯３１は、連結布７０に取り付けられたテープスナップ７２の上位の雄ボタン７３ａと中位の雄ボタン７３ｂを、ベルト布１０に取り付けられたテープスナップ２４の一対の雌ボタン２３ａ，２３ｂに着脱可能に連結して、ズボン本体１ａのベルト布１０の下側、即ち図３に示すように、ズボン本体１ａの腰部に相当する部位の下部に取り付けられる。また、腰痛保護帯３１は、連結布７０に取り付けられたテープスナップ７２の中位の雄ボタン７３ｂと下位の雄ボタン７３ｃを、ベルト布１０に取り付けられたテープスナップ２４の一対の雌ボタン２３ａ，２３ｂに着脱可能に連結して、ズボン本体１ａのベルト布１０の上側、即ち図４に示すように、ズボン本体１ａの腰部に相当する部位の上部に取り付けられる。ズボン本体１ａは、このように腰痛保護帯３１を装着して、腰痛保護帯付きズボン１を構成する。  
【００５１】
腰痛保護帯付きズボン１は、通常のズボンと同様に履き、図３，４に示すように、右連
結帯４１及び左連結帯４５をベルト通し２１に通す。主ベルト３３、左補助ベルト６１を
弾性に抗して伸長させて左連結帯４５を引き出し、図１２（ａ）に示すように、左連結帯
４５に設けた左接続面ファスナー４６を、ベルト部１１の右腹部面ファスナー２５に着脱
可能に連結させる。次に、図１２（ｂ）に示すように、主ベルト３３、右補助ベルト５１
を弾性に抗して伸長させて右連結帯４１を引き出し、図１２（ｃ）に示すように、右連結
帯４１に設けた右連結面ファスナー４２を左連結帯４５に設けた左連結面ファスナー４７
に重ねて着脱可能に連結させる。このようにして、腰痛保護帯付きズボン１は、腰痛保護
帯３１を腹部全周に圧迫するようにして巻き付けることができる。なお、左連結面ファス
ナー４７は、幅方向に長く形成されているので、右連結面ファスナー４２の取付位置を変
えて、着用者の体型に合わせて主ベルト３３、左右補助ベルト５１，６１の弾性力を調節
することができる。  
【００５２】
腰痛保護帯付きズボン１は、腰痛保護帯３１が腹部全周を締めることにより、腹圧が上昇し腹腔が硬い柱の役割を果たし、腰椎の保護強化を高め、腰部の負担を軽減することができ、腹筋を補強し、正しい姿勢を維持させることができる。腰痛保護帯付きズボン１は、左連結帯４５の左連結面ファスナー４７に対する右連結帯４１の右連結面ファスナー４２の長さ方向の連結位置を変えて、着用者の腹回りの長さに合わせて腹圧の締め付け具合を調節することができ、さらに取付位置調節手段７１により上下方向の連結位置を変えると腰部の上下方向の補強位置を変更することができる。なお、左連結帯４５の左接続面ファスナー４６が、ベルト部１１の右腹部面ファスナー２５又は／及び左腹部面ファスナー２６に着脱可能に連結し、腰痛保護帯３１のベルト部１１に対する位置決めをすることができる。  
【００５３】
前記雄ボタン７３ａ〜７３ｃ（スナップボタン）と雌ボタン２３ａ，２３ｂ（スナップボタン）によって、腰痛保護帯３１の取付位置調節手段７１を構成している。前記雄ボタン７３ａ〜７３ｃ及び雌ボタン２３ａ，２３ｂは、テープスナップ７２，２４であり、薄く形成されているので、腰痛保護帯付きズボン１の装着時に腰部に違和感を与えることがない。雄ボタン７３ａ〜７３ｃと雌ボタン２３ａ，２３ｂは、腰痛保護帯３１の長手方向（引っ張られる方向）と略直角の方向に、所定間隔あけて配置されている。雄ボタン７３ａ〜７３ｃと雌ボタン２３ａ，２３ｂは、連結時に両側から右連結帯４１と左連結帯４５によって、略均等に引っ張られるので、連結が容易に外れることはない。なお、着脱手段は、スナップボタンに限定されず、面ファスナーであってもよい。  
【００５４】
なお、腰痛保護帯付きズボン１は、前記雄ボタン７３ａ〜７３ｃ（スナップボタン）が腰痛保護帯３１に設けられ、前記雌ボタン２３ａ，２３ｂ（スナップボタン）がズボン本体１ａに設けられた構成で説明した。逆に、腰痛保護帯付きズボン１は、 前記雄ボタン７３ａ〜７３ｃ（スナップボタン）がズボン本体１ａに設けられ、前記雌ボタン２３ａ，２３ｂ（スナップボタン）が腰痛保護帯３１に設けられた構成であっても良い。  
【００５５】
なお、腰痛保護帯付きズボン１は、伸縮性生地１５及び覆い布１６を備えていない場合は、腰痛保護帯付きズボン１の着用者が、直立姿勢から立て膝・座位・しゃがみ姿勢等の腰を屈曲（前屈）させた時、皮膚の伸びにズボンが追随できず、後身頃３が直接ベルト部１１に作用して、ベルト部１１の後部が下方に引っ張られて腰痛保護帯３１の位置が腰部からずれ下がり、腰痛保護帯３１が着用者の腹部を圧迫して、腰部に負担をかけることも有り得た。  
【００５６】
しかし、腰痛保護帯付きズボン１は、上記したように、伸縮性生地１５及び覆い布１６が存在するので、腰痛保護帯３１がずれることがなく、常に必要な位置に維持させることができる。腰痛保護帯付きズボン１は、着用者が直立姿勢である時、引っ張られておらず、腰痛保護帯３１が着用者の腰回りに位置しており、伸縮性生地１５及び覆い布１６は、ほとんど延びていない。腰痛保護帯付きズボン１の着用者が、図１３に示すように、しゃがんだ姿勢等をとった時、図１４に示すように、椅子に腰掛けた等の腰を屈曲（前屈）させて腰部や臀部の皮膚が伸びた時、この皮膚の伸びに追随して、伸縮性生地１５及び覆い布１６が適宜伸縮するので、ズボンのベルト部１１が下方に引っ張られて下がることがなく、腰痛保護帯３１の位置が腰部からずれて下がることがない。また、着用者の腹部への圧迫が回避され、腰部に負担をかけることが低減される。さらに、伸縮性生地１５及び覆い布１６は、姿勢変化時の腰部の皮膚の伸びに追随するので、高い運動性能を確保できる。  
【００５７】
なお、ここでいう腰部とは、腰痛保護帯付きズボン１の着用者の骨盤における前方に突出した部位（一般的に「上前腸骨棘」と呼ばれる部位）の付近を示している。そして、腰痛保護帯３１は、腰部に対応する位置に装着することで、腰痛の発生防止効果を最も引き出すことができる。当該効果を引き出すため、腰痛保護帯付きズボン１の股下（ベルト布１０下端から股部上端における部位）を大幅に浅く形成することで、ズボン本体１ａ装着時に、ベルト布１０が自然に腰部の位置にくるようにしている。ベルト布１０が腰部に位置することで、ベルト布１０に取り付けられる腰痛保護帯３１も腰部に位置し、腰痛保護の効果を高めることができる。  
【００５８】
通常のズボンでは、股下を浅く形成すると、しゃがんだ姿勢等をとった場合一層ズボンの腰部が下方に引っ張られる。しかし腰痛保護帯付きズボン１は、腰部に腰部伸縮部２０（伸縮性生地１５及び覆い布１６）が設けられているので、腰痛保護帯３１の位置が腰部からずれて下がることがない。上述したように、しゃがんだ姿勢等をとった時に、図１３のように腰部伸縮部２０が適宜伸びるので、腰痛保護帯３１が腰部からずれ下がることなく常に腰部に対応する位置に配置され、腰痛保護帯３１が腰部の全周に亘って巻き付けている状態を維持することができる。そして、腰痛保護帯３１はこの位置から上下にずれることなく、腰部に対応する位置だけを締め付けることができるようになるので、安定した腰痛の発生防止効果を得ることができる。  
【００５９】
腰痛保護帯付きズボン１は、会社における事務作業等の軽作業（たとえば、デスクワークを専らとする作業、スーパーマーケットの店員の作業、家電量販店員の作業、ウェイターの作業、調理師の作業、パチンコ店のホールスタッフの作業、清掃業者の作業等）の際に、従業員等が履いて作業を行う軽作業用ズボン（スラックス、トラウザーズ、パンツいわゆる通常ズボン）に適している。
【産業上の利用可能性】
【００６０】
本願発明は、腰痛保護帯がズボン本体に固定して取り付けられた腰痛保護帯付きズボンに利用可能である。
【符号の説明】
【００６１】
Ｆ  前側
Ｒ  後側
１  腰痛保護帯付きズボン
１ａ  ズボン本体
２  前身頃
２ａ  股内側側縁
２ｂ  股外側側縁
２ｃ  胴部側端縁
２ｄ  上端縁
３  後身頃
３ａ  股内側側縁
３ｂ  股外側側縁
３ｃ  胴部側端縁
３ｄ  上端縁
５  襠部
５ａ  前側側縁
５ｂ  後側側縁
５Ａ  パーツ
５Ｂ  パーツ
５Ｃ  パーツ
６  右足部分
７  左足部分
１０  ベルト布
１０ａ  端縁側
１１  ベルト部
１２  スペース
１３  弾性体
１５  伸縮性生地
１５ａ  上端縁
１５ｂ  下端縁
１５ｃ  左端縁
１５ｄ  右端縁
１６  覆い布
１６ａ  上端縁
１６ｂ  下端縁
１６ｃ  左端縁
１６ｄ  右端縁
１７  折り目
１７Ａ  第１の折り目
１７Ｂ  折り目
１７Ｃ  第３の折り目
１７Ｄ  折り目
１８  縫い目
１９  縫い目
２０  腰部伸縮部
２１  ベルト通し
２３  雌留め具
２３ａ  雌ボタン
２３ｂ  雌ボタン
２４  テープスナップ
２５  左腹部面ファスナー
２６  右腹部面ファスナー
３１  腰痛保護帯
３２  保護帯本体
３３  主ベルト
３３ａ  ゴム帯
３３ｂ  ゴム帯
３３ｃ  上端
３３ｄ  下端
３４  右端
３５  左端
４１  右連結帯
４２  右連結面ファスナー
４５  左連結帯
４６  左接続面ファスナー
４７  左連結面ファスナー
４８  主帯
５１  右補助ベルト
５２  頂端縁（頂部）
５３  端縁
５５  端縁
６１  左補助ベルト
６２  頂端縁（頂部）
６３  端縁
６５  端縁
７０  連結布
７１  取付位置調節手段
７２  テープスナップ
７３  雄留め具
７３ａ  雄ボタン
７３ｂ  雄ボタン
７３ｃ  雄ボタン
【図１】
0006352335.tif 000002
【図２】
0006352335.tif 000003
【図３】
0006352335.tif 000004
【図４】
0006352335.tif 000005
【図５】
0006352335.tif 000006
【図６】
0006352335.tif 000007
【図７】
0006352335.tif 000008
【図８】
0006352335.tif 000009
【図９】
0006352335.tif 000010
【図１０】
0006352335.tif 000011
【図１１】
0006352335.tif 000012
【図１２】
0006352335.tif 000013
【図１３】
0006352335.tif 000014
【図１４】
0006352335.tif 000015